(57)【要約】【課題】  水や清涼飲料水などの原液を極めて短時間に製氷することができる瞬間製氷装置を提供する。【解決手段】  原液を噴霧する噴霧ノズル３０と、噴霧原液を着氷させる着氷ドラム２０と、着氷ドラム２０を冷却する冷却パイプ１２と、着氷ドラム２０に付着した原液の氷を取り除く螺旋刃４０と、螺旋刃４０により削り取られた氷を圧縮成形する圧縮装置６０とを備えた。【選択図】  図１
2006078137.tif 000002
【特許請求の範囲】
【請求項１】
飲料水・ジュース・茶・清涼飲料水などの原液を貯蔵するタンクと、
タンクに貯蔵された原液を霧状にして放出する噴霧手段と、
噴霧手段の噴霧方向に配置され噴霧手段により噴霧された原液を着氷させる着氷体と、
着氷体を冷却する冷却手段と、
着氷体表面に付着した氷を削り落とす削氷手段と、
削氷手段により削り落とされた粒状又は粉状の氷を圧縮して所定の形状に成形する圧縮成形手段と、
製氷前に冷却体を予め冷却し、予冷後に噴霧手段により液体を噴霧して着氷体に着氷させ、削氷手段により着氷体に付着した氷を削り取り、削氷した氷を圧縮・成形するよう各手段を制御する制御装置とを備えた
ことを特徴とする瞬間製氷装置。
【請求項２】
前記着氷体は円筒状をなし、
着氷体を周方向に回転させる回転手段を備え、
着氷体の回転方向に順に前記噴霧手段と削氷手段を配置した
ことを特徴とする請求項１記載の瞬間製氷装置。
【請求項３】
前記削氷手段は着氷体の軸方向に延び且つ着氷体に付着した氷に圧接可能な削氷刃を備えた
ことを特徴とする請求項２記載の瞬間製氷装置。
【請求項４】
前記削氷刃は着氷体の軸方向を軸とした螺旋状の刃からなる
ことを特徴とする請求項３記載の瞬間製氷装置。
【請求項５】
前記削氷刃は平面状の固定刃からなる
ことを特徴とする請求項３記載の瞬間製氷装置。
【請求項６】
削氷刃の圧接力を検出する圧力検知手段を備えた
ことを特徴とする請求項３記載の瞬間製氷装置。
【請求項７】
前記噴霧手段及び削氷手段を筒状の着氷体の内側に配置し、着氷体の内周面に噴霧原液を着氷させる
ことを特徴とする請求項２記載の瞬間製氷装置。
【請求項８】
前記噴霧手段及び削氷手段を筒状の着氷体の外側に配置し、着氷体の外周面に噴霧原液を着氷させる
ことを特徴とする請求項２記載の瞬間製氷装置。
【請求項９】
削氷手段により削氷された着氷体を洗浄する洗浄手段を設けた
ことを特徴とする請求項２記載の瞬間製氷装置。
【請求項１０】
前記洗浄手段は着氷体に着氷面に圧接して残氷を除去する除去部材を備えた
ことを特徴とする請求項９記載の瞬間製氷装置。
【請求項１１】
前記洗浄手段は着氷体に付着した残氷を融解させる融解手段を備えた
ことを特徴とする請求項９記載の瞬間製氷装置。
【請求項１２】
前記融解手段は着氷体の着氷面に温水を注ぐ注水手段からなる
ことを特徴とする請求項１１記載の瞬間製氷装置。
【請求項１３】
前記融解手段は着氷体の着氷面に温風を吹き付ける送風手段からなる
ことを特徴とする請求項１１記載の瞬間製氷装置。
【請求項１４】
複数のタンクを備え、
前記噴霧手段は複数のタンクで共通のノズルを備えた
ことを特徴とする請求項１記載の瞬間製氷装置。
【請求項１５】
複数のタンクを備え、
前記噴霧手段は各タンクに対応した複数のノズルを備えた
ことを特徴とする請求項１記載の瞬間製氷装置。
【請求項１６】
前記複数のタンクのうち少なくとも１つのタンクに噴霧手段の洗浄用の洗浄液を貯蔵した
ことを特徴とする請求項１４又は１５何れか１項記載の瞬間製氷装置。
【請求項１７】
前記噴霧手段は原液凍結防止用の加熱手段を備えた
ことを特徴とする請求項１記載の瞬間製氷装置。
【請求項１８】
製氷量を入力する製氷量入力手段を備え、
前記制御装置は製氷量入力手段により入力された製氷量に基づき噴霧手段で噴霧する原液の量を調整する
ことを特徴とする請求項１記載の瞬間製氷装置。
【請求項１９】
圧縮整形工程の終了を通知する通知手段を備えた
ことを特徴とする請求項１記載の瞬間製氷装置。
【請求項２０】
着氷体の温度を検出する着氷体温度センサを備え、
前記制御装置は着氷体温度センサで検出した着氷体温度が所定温度以下の場合にのみ前記予冷工程・着氷工程・削氷工程・圧縮成形行程を実施可能とする
ことを特徴とする請求項１記載の瞬間製氷装置。
【請求項２１】
着氷体の温度を検出する着氷体温度センサを備え、
前記制御装置は、予冷工程において、着氷体温度センサで検出した着氷体温度が所定温度以下になるまで冷却手段を用いて冷却体を冷却し、所定温度以下になったら着氷工程に移行する
ことを特徴とする請求項１記載の瞬間製氷装置。
【発明の詳細な説明】
【技術分野】
【０００１】
本発明は、水や清涼飲料水やお茶などの原液を極めて短時間に製氷する瞬間製氷装置に関する。
【背景技術】
【０００２】
従来の製氷装置としてはオーガ式製氷装置（特許文献１）やドラム式製氷装置（特許文献２）などが知られている。
【０００３】
特許文献１に示すオーガ式製氷装置は、筒状の冷凍ケーシングに水を供給し、この冷凍ケーシングを冷却することで内面に氷を成長させる。そして、冷凍ケーシング内に設けたオーガと呼ばれる回転螺旋刃を用いて氷を削り取りながら移送し、さらに圧縮することにより氷片を製造する。
【０００４】
また、特許文献２に示すドラム式製氷装置は、水を満たした製氷タンク内に円筒ドラムを配置し、円筒ドラムを冷却させながら回転させることで表面に氷の層を成長させる。そして、円筒ドラムに成長した氷をカッタで剥離することにより鱗状の氷を製造する。
【特許文献１】特開２００４−１０１１３３号公報
【特許文献２】特開２００３−１３０５０６号公報
【発明の開示】
【発明が解決しようとする課題】
【０００５】
ところで近年、水や清涼飲料水や茶など種々の原液を必要時に必要量だけ製氷したいという要望が出てきた。例えば、自動販売機や店頭などにおいて客の要望に応じて原液を製氷した氷を提供したいというものである。このような用途においては、原液を予め製氷しておき必要時に提供するという形態よりも、必要時に原液を製氷するという形態が好ましい。これは、前者では氷の貯蔵維持に多大な冷却能力を必要とするためである。しかし、前述した従来の製氷装置では、水から氷に成長させるのに長時間を要するために必要な時に必要な分量の氷を提供することができず、また複数種類の原液に対応することができなかった。
【０００６】
本発明は、上記事情に鑑みてなされたものであり、その目的とするところは、水や清涼飲料水などの原液を極めて短時間に製氷することができる瞬間製氷装置を提供することにある。
【課題を解決するための手段】
【０００７】
上記目的を達成するために、本願では、飲料水・ジュース・茶・清涼飲料水などの原液を貯蔵するタンクと、タンクに貯蔵された原液を霧状にして放出する噴霧手段と、噴霧手段の噴霧方向に配置され噴霧手段により噴霧された原液を着氷させる着氷体と、着氷体を冷却する冷却手段と、着氷体表面に付着した氷を削り落とす削氷手段と、削氷手段により削り落とされた粒状又は粉状の氷を圧縮して所定の形状に成形する圧縮成形手段と、製氷前に冷却体を予め冷却し、予冷後に噴霧手段により液体を噴霧して着氷体に着氷させ、削氷手段により着氷体に付着した氷を削り取り、削氷した氷を圧縮・成形するよう各手段を制御する制御装置とを備えたことを特徴とする瞬間製氷装置を提案する。
【０００８】
本発明によれば、噴霧手段により原液が噴霧され着氷体に接触すると該原液が氷となって着氷体表面に付着する。そして、削氷手段により着氷体表面に付着した氷が削り落とされて粒状又は粉状の氷が得られる。そして、この粒状又は粉状の氷を圧縮成形することにより所定形状の氷が得られる。このように、本発明では、従来の製氷装置のように原液を液体のまま冷却するのではなく、噴霧して着氷体に付着させることにより製氷しているので、極めて短時間で製氷することができる。
【０００９】
本願発明の好適な態様としては、前記着氷体を円筒状とし、この着氷体を周方向に回転させる回転手段を設け、着氷体の回転方向に順に前記噴霧手段と削氷手段を配置したものが挙げられる。本発明によれば、噴霧手段により原液を噴霧して着氷体の周面に氷が付着させ、回転手段により削氷手段による削氷位置まで着氷体を回転させ、削氷手段による削氷することができる。したがって、着氷工程から削氷工程までの流れを効率的且つ円滑に実施できる。なお、着氷体の着氷面は、円筒の内周面であっても外周面であってもよい。
【００１０】
円筒状の着氷体を回転手段で回転させる場合、削氷手段としては、前記削氷手段は着氷体の軸方向に延び且つ着氷体に付着した氷に圧接可能な削氷刃を備えたものが好適である。削氷刃としては、着氷体の軸方向を軸とした螺旋状の刃からなるものや、平面状の固定刃からなるものが挙げられる。また、さらに、削氷刃の圧接力を検出する圧力検知手段を設けると好適である。
【００１１】
着氷体に着氷した氷は削氷手段により削り取られるが、着氷体にはある程度の氷が残ることが考えられる。一方、着氷体は次回の製氷時にも使用されるので、衛生面等の観点からは残氷を除去する必要がある。特に、複数種類の原液を用いる場合には残氷を除去しないと原液の混合した氷が生成されてしまうことが考えられる。そこで、削氷手段により削氷された着氷体を洗浄する洗浄手段を設けると好適である。
【００１２】
着氷体の洗浄手段としては、着氷体に着氷面に圧接して残氷を除去する除去部材を備えたものや、着氷体に付着した残氷を融解させる融解手段を備えたものが好適である。融解手段としては、着氷体の着氷面に温水を注ぐ注水手段からなるものや、着氷体の着氷面に温風を吹き付ける送風手段からなるものなどが挙げられる。
【００１３】
本願発明の好適な態様としては、複数のタンクを備えたものが挙げられる。複数のタンクを備えることにより、複数種類の原液から製氷することができる。なお、複数のタンクを備える場合、前記噴霧手段は、複数のタンクで共通のノズルを備えるようにしてもよいし、各タンクに対応した複数のノズルを備えるようにしてもよい。また、複数のタンクを備える場合、複数のタンクのうち少なくとも１つのタンクに噴霧手段の洗浄用の洗浄液を貯蔵するようにすると、噴霧手段や着氷体などを洗浄することができるので好適である。
【００１４】
また、本願発明の好適な態様としては、前記噴霧手段が原液凍結防止用の加熱手段を備えたものが挙げられる。噴霧手段は冷却手段により冷却される着氷体の近傍に配置されているので噴霧手段内において原液の凍結が生じる恐れがある。本発明では、加熱手段により噴霧手段内に停滞した原液の凍結防止を図ることができる。
【００１５】
また、本願発明の好適な態様としては、製氷量を入力する製氷量入力手段を備え、前記制御装置は製氷量入力手段により入力された製氷量に基づき噴霧手段で噴霧する原液の量を調整するものが挙げられる。本発明によれば所望の量の氷を製造できる。
【００１６】
また、本願発明の好適な態様としては、圧縮整形工程の終了を通知する通知手段を備えたものが挙げられる。本発明によれば氷が成形されたことを認識することができる。
【００１７】
また、本願発明の好適な態様としては、着氷体の温度を検出する着氷体温度センサを備え、前記制御装置は着氷体温度センサで検出した着氷体温度が所定温度以下の場合にのみ前記予冷工程・着氷工程・削氷工程・圧縮成形行程を実施可能とするものが挙げられる。さらに、本願発明の好適な態様としては、着氷体の温度を検出する着氷体温度センサを備え、前記制御装置は、予冷工程において、着氷体温度センサで検出した着氷体温度が所定温度以下になるまで冷却手段を用いて冷却体を冷却し、所定温度以下になったら着氷工程に移行するものが挙げられる。これらの本発明によれば、冷却不足による製氷ミスを防止して確実な製氷を実施できる。
【発明の効果】
【００１８】
以上説明したように本発明によれば。従来の製氷装置のように原液を液体のまま冷却するのではなく、原液を噴霧して着氷体に付着させることにより製氷しているので、極めて短時間で製氷することができる。
【発明を実施するための最良の形態】
【００１９】
本発明の一実施の形態に係る瞬間製氷装置について図面を参照して説明する。本実施の形態に係る瞬間製氷装置は、ジュースやお茶などの各種原液を極めて短時間で所定形状に製氷するものである。図１は瞬間製氷装置の要部構成図、図２は瞬間製氷装置における原液供給部の構成図、図３は瞬間製氷装置における製氷工程を説明する図である。
【００２０】
この瞬間製氷装置１では、断熱壁１０により囲われた冷却室１１内に円筒状の着氷ドラム２０を配置し、この着氷ドラム２０に原液を噴霧させることにより着氷ドラム２０の周面に噴霧原液を着氷させる。そして、着氷ドラム２０に着氷した氷を削氷して得られる粒状又は粉状の氷を圧縮成形することにより所定形状の氷を得る。以下、瞬間製氷装置１の構造について詳述する。
【００２１】
冷却室１１を構成する断熱壁１０の内側には冷却パイプ１２が巻回している。この冷却パイプ１２内には液冷媒が循環しており、圧縮機・凝縮器等からなる周知の冷却サイクル１３により冷却される。冷却室１１内には冷却室の室温を検出する冷却室温度センサ１４が付設されている。なお、冷却室温度センサ１４は、直接的には冷却室１１の室温を測定するものであるが、間接的には着氷ドラム２０の温度を測定するものである。
【００２２】
冷却室１１内には、円筒状の着氷ドラム２０が配置されている。着氷ドラム２０の中心軸には回転軸２１が連結している。回転軸２１は、断熱壁１０を貫通して冷却室１１の外まで延びており、ドラム回転モータ２２に連結している。これにより、ドラム回転モータ２２を駆動すると着氷ドラム２０は回転軸２１を中心として周方向に回転する。着氷ドラム２０の材質は、熱伝導率が良好なこと、噴霧原液による変質（腐食等）がないこと、付着した氷の剥離性が良好なこと、という観点から適切なものを選択するのが好ましい。本実施の形態ではステンレス鋼を用いた。
【００２３】
着氷ドラム２０の周囲には、着氷ドラム２０の外周面に原液を噴霧する噴霧ノズル３０と、着氷ドラム２０の外周に付着した氷を削り取る螺旋刃４０と、螺旋刃４０によっても削り取れなかった残氷を除去する除去部材５０と、着氷ドラム２０の外周面を殺菌する紫外線ランプ７０とが、着氷ドラム２０の回転方向に順に配置されている。
【００２４】
噴霧ノズル３０は、着氷ドラム２０の大きさに対応すべく必要に応じて着氷ドラム２０の軸方向（回転方向と直交する方向）に１つ以上（図１では２つ）配置されている。各噴霧ノズル３０は共通の原液供給パイプ３１から分岐して接続されている。原液供給パイプ３１には、図２に示すように、原液を貯蔵した複数の原液タンク３２及び原液タンク３２の原液を噴霧ノズル３０側に圧送する圧送装置３３と、洗浄液を貯蔵した洗浄液タンク３４及び洗浄液タンク３４の洗浄液を噴霧ノズル３０側に圧送する圧送装置３５が接続されている。
【００２５】
螺旋刃４０は、図１に示すように、着氷ドラム２０の軸方向（回転方向と直交する方向）に延びており、螺旋刃４０の刃先と着氷ドラム２０との間にわずかな隙間が生じるように配置されている。螺旋刃４０の軸４１は、断熱壁１０を貫通して冷却室１１の外まで延びており、螺旋刃回転モータ４２に連結している。螺旋刃回転モータ４２の回転方向は、螺旋刃４０により削り取られた氷が螺旋刃４０に沿って下方に移送される方向に設定されている。
【００２６】
螺旋刃４０の下方には、螺旋刃４０により削り取られた粒状又は粉状の氷を収集する円筒状の収集部８０と、収集部８０で収集した氷を圧縮する圧縮装置６０とが配置されている。収集部８０の上部は皿状に開口した開口部８１が形成されており、この開口部８１に螺旋刃４０から移送された氷が受容される。開口部８１で受容された氷は、下方の圧縮装置６０に自重で移動する。
【００２７】
圧縮装置６０は、収集部８０と連結した筒状のシリンダ６１と、所定のピストン駆動装置（図示省略）によりシリンダ６１内を摺動するピストン６２と、所定の駆動装置（図示省略）によりシリンダ６１の端部を開閉可能なシリンダヘッド６３とを備えている。圧縮装置６０で圧縮成形された氷は、シリンダヘッド６３を開放した状態でピストン６２を駆動することによりシリンダ６１から排出され、受容カップ９０に受容される。
【００２８】
除去部材５０は、着氷ドラム２０の軸方向（回転方向と直交する方向）に延びた部材からなる。また、除去部材５０は、着氷ドラム２０の表面に圧着して配置されており、着氷ドラム２０を回転することにより残氷を除去する。除去部材５０の材質としては、ゴムや布等の弾性を有する部材が好ましい。本実施の形態ではゴムを用いた。
【００２９】
紫外線ランプ７０は、着氷ドラム２０の軸方向（回転方向と直交する方向）に延びて配置されており、着氷ドラム２０の周面に紫外線を照射することで殺菌処理が可能となっている。
【００３０】
次に、瞬間製氷装置１における製氷過程について図３を参照して説明する。この瞬間製氷装置１では、冷却室１１及び着氷ドラム２０を製氷に必要な温度（例えば−２０℃程度：以下製氷温度と言う）に冷却した状態で、着氷ドラム２０を回転させながら、噴霧ノズル３０から噴霧原液で噴霧する。これにより、噴霧ノズル３０から噴出した原液の微粒子は氷となって着氷ドラム２０の外周面に付着する（図３の着氷工程）。付着した氷は着氷ドラム２０の回転により螺旋刃４０に送られて着氷ドラム２０から取り除かれる（図３の削氷工程）。さらに、着氷ドラム２０の表面に付着した残氷は除去部材５０により取り除かれる（図３の洗浄工程）。
【００３１】
この瞬間製氷装置１の制御ブロック図を図４に示す。図４に示すように、制御装置１００には、前述した冷却室温度センサ１４、冷凍サイクル１３を構成する圧縮機１０１、ドラム回転モータ２２、圧送装置３３，３５、螺旋刃回転モータ４２、ピストン駆動装置１０２、シリンダヘッド６３の開閉駆動装置１０３、紫外線ランプ７０が接続されている。また、この瞬間製氷装置１は、瞬間製氷装置１が製氷可能か否かの状態を表示する製氷可能ランプ１１０と、商品（原液）を選択する商品選択ボタン１１１と、製氷中の動作状態を表示する製氷中ランプ１１２と、製氷終了などの各種動作状態を音で通知するブザー１１３とを備えており、それぞれ制御装置１００に接続している。
【００３２】
次に、瞬間製氷装置１の動作について図５のフローチャートを参照して説明する。この瞬間製氷装置１の制御装置１００は、電源投入により動作を開始すると、冷却室１１を所定の待機温度まで冷却するよう圧縮機１０１を駆動制御する（ステップＳ１）。ここで待機温度は前述の製氷温度よりも高い温度であり例えば−５℃程度である。冷却室１１が所定の待機温度に達したら、制御装置１００は製氷可能ランプ１１０を点灯する（ステップＳ２）。以降、商品選択ボタン１１１の押下を検出するまでは、冷却室１１を待機温度に維持する。
【００３３】
次に、商品選択ボタン１１１の押下を検出したら（ステップＳ３）、制御装置１００は製氷中ランプ１１２を点灯し（ステップＳ４）、冷却室１１を所定の製氷温度まで冷却するよう圧縮機１０１を駆動制御する（ステップＳ５）。冷却室１１が所定の製氷温度に達したら、制御装置１００は、製氷中ランプ１１２を点滅させる（ステップＳ６）。次いで、ドラム回転モータ２２及び螺旋刃回転モータ４２を駆動させることにより、着氷ドラム２０及び螺旋刃４０の回転を開始する（ステップＳ７）。次に、ステップＳ３で選択された商品に対応する原液が貯蔵された原液タンク３２の圧送装置３３を駆動することにより、原液を噴霧ノズル３０から噴霧する（ステップＳ８）。この原液を所定量噴霧したら（ステップＳ９）、圧送装置３３を停止することにより噴霧を終了する（ステップＳ１０）。ここで、所定量の噴霧は、噴霧時間や着氷ドラム２０の回転時間又は回転回数などに基づくものであってもよいし、別途流量センサを設けて噴霧量を測定するようにしてもよい。
【００３４】
以上までの処理により、選択商品に対応する原液が着氷ドラム２０に着氷する。そして、この氷は螺旋刃４０により削り取られて収集部８０を介して圧縮装置６０に導入される。制御装置１００は、着氷工程・削氷工程が終了したので、冷却室１１を所定の待機温度で維持するよう圧縮機１０１を駆動制御する（ステップＳ１１）。そして、ドラム回転モータ２２及び螺旋刃回転モータ４２を停止する（ステップＳ１２）。
【００３５】
次に、制御装置１００は、圧縮装置６０のピストン６２を駆動するピストン駆動装置１０２を駆動して、シリンダ６１内に収集された粉状又は粒状の氷を圧縮成形する（ステップＳ１３）。そして、開閉駆動装置１０３を駆動してシリンダヘッド６３を開放するとともにピストン駆動装置１０２でピストン６２を駆動させることによりシリンダ６１から圧縮成形された氷を排出する（ステップＳ１４）。次に、制御装置１００は、製氷終了を通知するためのブザー１１３を鳴動させるとともに（ステップＳ１５）、製氷中ランプ１１２を消灯させる（ステップＳ１６）。
【００３６】
次に、制御装置１００は、着氷ドラム２０の洗浄を行う。具体的には、まず、紫外線ランプ７０を点灯して紫外線の照射を開始するとともに（ステップＳ１７）、ドラム回転モータ２２を駆動を開始する（ステップＳ１８）。そして、洗浄液タンク３４の圧送装置３５を駆動することにより、所定量の洗浄液を噴霧ノズル３０から噴霧する（ステップＳ１９）。所定量の洗浄液の噴霧が終了したらドラム回転モータ２２を停止するとともに（ステップＳ２０）、紫外線ランプ７０を消灯する（ステップＳ２１）。以降は、商品選択ボタン１１１の押下検出待ち状態となる。なお、この待機中に冷却室１１の室温が所定の待機温度以上となった場合には、販売可能ランプ１１０を消灯して製氷動作は行わないようにすればよい。
【００３７】
本実施の形態に係る瞬間製氷装置１によれば、利用者が所望の商品を選択すると、選択した商品に対応する原液が噴霧ノズル３０から噴出して着氷ドラム２０に着氷する。そして、着氷ドラム２０に着氷した氷は螺旋刃４０で削り取られて粒状又は粉状となり圧縮装置６０に送られる。そして、圧縮装置６０において所定の形状の圧縮成形される。このように、本実施の形態に係る瞬間製氷装置１は、原液を噴霧して着氷ドラム２０に着氷させる構造となっているので、極めて短時間に製氷することができる。これにより、必要なときに必要な量だけの製氷を行うことが可能となるので、例えば自動販売機などで所望の味の氷を提供することが可能となる。
【００３８】
以上、本発明の実施の形態について詳述したが本発明はこれに限定されるものではない。以下に本発明の変形例について説明する。
【００３９】
上記実施の形態では、複数の噴霧ノズル３０を着氷ドラム２０の軸方向に並設していたが、図６に示すように、周方向に併設するようにしてもよい。さらには、軸方向及び周方向の双方に並設するようにしてもよい。なお、噴霧ノズル３０の数及び配置方法については、製氷量や着氷ドラム２０の回転数などに応じて適切なものを選択すればよい。また、本実施の形態では、複数の噴霧ノズル３０を固定配置することにより原液の着氷面積を大きくとっているが、一乃至複数の噴霧ノズル３０を着氷ドラム２０の周面に沿って移動させる手段や、噴霧ノズル３０の噴霧方向を変更させる手段を設けるようにしてもよい。
【００４０】
また、上記実施の形態では、噴霧ノズル３０，螺旋刃４０，除去部材５０及び紫外線ランプ７０を着氷ドラム２０の外側に配置し、着氷ドラム２０の外周面に噴霧原液を着氷させていたが、図７に示すように、噴霧ノズル３０等を着氷ドラム２０の内側に配置し、着氷ドラム２０の内周面に噴霧原液を着氷させるようにしてもよい。
【００４１】
また、上記実施の形態では、複数の原液及び洗浄液に対して共通の噴霧ノズル３０を用いていたが、原液及び洗浄液を貯蔵したタンクに対してそれぞれ専用の噴霧ノズルを設けるようにしてもよい。これにより、噴霧ノズル３０や原液供給パイプ３１内での原液の混合を防止できる。
【００４２】
また、上記実施の形態では、着氷ドラム２０に付着した氷を削り取る手段として螺旋刃４０を用いたが、平面状の固定刃など他の手段を用いてもよい。
【００４３】
また、上記実施の形態では、削氷手段である螺旋刃４０によっても削り取られなかった残氷を除去する手段として、ゴムや布等の除去部材５０を着氷ドラム２０の着氷面に圧接することにより残氷を除去していたが、他の手段であっても本発明を実施できる。例えば、着氷ドラム２０の着氷面を加熱して残氷を融解させる融解手段を設けることにより残氷を除去するようにしてもよい。この場合、融解手段を前記除去部材５０に並設すると好適である。融解手段としては、温風や温水や加熱した洗浄液を着氷ドラム２０の着氷面に吹き付けるものなどが挙げられる。
【００４４】
また、上記実施の形態では、削氷手段である螺旋刃４０を着氷ドラム２０の周囲に固定配置したが、削氷手段を移動させる移動手段を設け、削氷時に氷が付着した着氷ドラム２０に削氷手段を圧接させるようにしてもよい。この場合、圧接時の圧力を検出するセンサを設け、所定の圧力で削氷手段を圧接させるようにすると好適である。
【００４５】
また、上記実施の形態では、紫外線ランプ７０により着氷ドラム２０の殺菌を行っていたが、塩素系又はアルコール系の殺菌用液剤を噴霧することで殺菌を行ってもよい。
【００４６】
また、上記実施の形態の構成に加えて、原液タンク３２及び洗浄液タンクと噴霧ノズル３０との間に原液を殺菌するための殺菌装置を設けてもよい。殺菌装置としては、例えば紫外線ランプ等が挙げられる。
【００４７】
また、上記実施の形態の構成に加えて、噴霧ノズル３０に電熱線等の加熱手段を設けることにより、噴霧ノズル３０内での原液又は洗浄液の凍結を防止するようにしてもよい。
【００４８】
また、上記実施の形態では、螺旋刃４０で削り取った氷は自重により円筒状の収集部８０内を介して圧縮装置６０のシリンダ６１に収集されているが、別途、吸引装置等でシリンダ６１に氷を積極的に搬送するようにしてもよい。
【００４９】
また、上記実施の形態の構成に加えて、原液タンク３２に液量又は液切れを検出するセンサを設けるとともに、各商品選択ボタン１１１に売り切れランプを設け、液切れが生じたら対応する売り切れランプを消灯して、当該商品を供給不可にしてもよい。
【００５０】
また、上記実施の形態の構成に加えて、製氷量を入力する製氷量入力手段を設け、入力された製氷量の基づき噴霧ノズル３０からの原液の噴霧量を調整するようにしてもよい。製氷量入力手段は、例えば氷のサイズ（Ｓ／Ｍ／Ｌ）を選択するサイズ選択ボタンなどが挙げられる。
【００５１】
また、上記実施の形態では、噴霧原液を着氷させる着氷体として円筒状の着氷ドラム２０を用いたが、他の形状であっても本発明を実施できる。例えば、平板状の着氷板を用いてもよい。この場合、着氷面全域に噴霧を行うためには、噴霧ノズル３０や削氷手段である螺旋刃４０を複数並設してもよいし、噴霧ノズル３０及び螺旋刃４０を所定の駆動装置により着氷板に沿って移動させるようにしてもよい。あるいは、噴霧ノズル３０及び螺旋刃４０を所定の位置に固定設置し、着氷板を所定の駆動装置により移動させるようにしてもよい。
【図面の簡単な説明】
【００５２】
【図１】瞬間製氷装置の要部構成図
【図２】瞬間製氷装置における原液供給部の構成図
【図３】瞬間製氷装置における製氷工程を説明する図
【図４】瞬間製氷装置の制御ブロック図
【図５】瞬間製氷装置の動作を説明するフローチャート
【図６】他の例に係る瞬間製氷装置における製氷工程を説明する図
【図７】他の例に係る瞬間製氷装置における製氷工程を説明する図
【符号の説明】
【００５３】
１…瞬間製氷装置、１０…断熱壁、１１…冷却室、１２…冷却パイプ、１３…冷却サイクル、１４…冷却室温度センサ、２０…着氷ドラム、２２…ドラム回転モータ、３０…噴霧ノズル、３１…原液供給パイプ、３２…原液タンク、３３…圧送装置、３４…洗浄液タンク、３５…圧送装置、４０…螺旋刃、４２…螺旋刃回転モータ、５０…除去部材、６０…圧縮装置、６１…シリンダ、６２…ピストン、６３…シリンダヘッド、７０…紫外線ランプ、８０…収集部、８１…開口部、９０…受容カップ、１００…制御装置、１０１…圧縮機、１０２…ピストン駆動装置、１０３…シリンダヘッド開閉駆動装置、１１０…製氷可能ランプ、１１１…商品選択ボタン、１１２…製氷中ランプ、１１３…ブザー
【図１】
2006078137.tif 000003
【図２】
2006078137.tif 000004
【図３】
2006078137.tif 000005
【図４】
2006078137.tif 000006
【図５】
2006078137.tif 000007
【図６】
2006078137.tif 000008
【図７】
2006078137.tif 000009